(57)【要約】【課題】光軸方向において開口部よりも光軸側に流れ込んだ接着剤が光路に干渉することに起因する光学性能の低下を防止すること。【解決手段】光軸方向に光を透過させるＧ１レンズ１０１と、光軸２０１の方向に貫通する開口部１０８を介してＧ１レンズ１０１から出射された光をＧ１レンズ１０１とは反対側へ通過させる固定絞り部材１０３と、を備えるレンズ装置１００で、Ｇ１レンズ１０１と固定絞り部材１０３との間に、開口部１０８の外周側においてＧ１レンズ１０１に対向するワッシャ部材１０４を設けた状態で、光軸に対して位置固定されたリブ１０６とＧ１レンズ１０１とを接着剤２０３によって接着した。これによって、光軸２０１に対するＧ１レンズ１０１の位置を固定する際に、光軸方向において開口部よりも光軸側に接着材料が流れ込むことを防止することができる。【選択図】図２
2008052194.tif 000002
【特許請求の範囲】
【請求項１】
光軸方向に配列された複数の光学部材を備える光学装置であって、
前記複数の光学部材の中の任意の光学部材であって前記光軸方向に光を透過させる光透過部材と、
前記光軸方向に貫通する開口部を備え、当該開口部を介して前記光透過部材を透過した光を前記光透過部材とは反対側へ通過させる遮光部材と、
前記遮光部材に設けられて前記開口部の外周側において前記光透過部材に対向する間隙部材と、
前記光軸に対して位置固定された部材と前記光透過部材とを接着する接着材料と、
を備えることを特徴とする光学装置。
【請求項２】
前記接着材料は、前記光透過部材と前記間隙部材との間に存在することを特徴とする請求項１に記載の光学装置。
【請求項３】
前記光透過部材は、前記光軸に直交する面内における位置の調整が可能な調心レンズであることを特徴とする請求項１または２に記載の光学装置。
【請求項４】
前記間隙部材は、前記光軸方向に貫通する副開口部を備える環状部材であり、
前記副開口部の寸法は、前記光透過部材において光学的に有効な領域の寸法よりも大きいことを特徴とする請求項１〜３のいずれか一つに記載の光学装置。
【請求項５】
前記間隙部材が備える前記副開口部の寸法は、前記遮光部材が備える前記開口部の寸法よりも大きいことを特徴とする請求項４に記載の光学装置。
【請求項６】
請求項１〜５のいずれか一つに記載の光学装置と、
前記光学装置を介して入射された光を電気信号に変換する撮像用の光電変換素子を含む撮像機構と、
を備えることを特徴とする撮像装置。
【請求項７】
請求項１〜５のいずれか一つに記載の光学装置と、
前記光学装置を介して入射された光を電気信号に変換する撮像用の光電変換素子を含む撮像機構と、
入力操作を受け付ける操作部と、
を備えることを特徴とする電子機器。
【発明の詳細な説明】
【技術分野】
【０００１】
この発明は、光学装置、撮像装置、および電子機器に関する。
【背景技術】
【０００２】
近年、撮像機能を備える携帯型電話機が普及している。このような携帯型電話機は、撮像用のレンズを搭載している。撮像用のレンズには、光軸方向に沿って重ね合わされる複数のレンズを備えるものがある。以下に、複数のレンズを備える撮像用のレンズ（以下、「撮像用レンズ」という）の一例について説明する。
【０００３】
図５は、従来の撮像用レンズの一例を示す断面図である。図５に示したように、撮像用レンズ５００は、Ｇ１レンズ５０１，Ｇ２レンズ５０２を備えている。Ｇ１レンズ５０１とＧ２レンズ５０２との間には、遮光部材としての固定絞り部材５０３が設けられている。固定絞り部材５０３は、Ｇ１レンズ５０１におけるレンズ部分を通過した光がＧ２レンズ５０２へ入射するように、Ｇ１レンズ５０１におけるレンズ部分を縁取るように開口する開口部５０４を備え、Ｇ２レンズ５０２へ入射する光量を制限する環状部材である。
【０００４】
撮像用レンズ５００が備える各部材５０１〜５０３は、接着剤を用いて固定されている。接着剤は、接着剤の粘度に応じた位置に塗布される。たとえば、粘度の低い接着剤を用いて、各部材５０１〜５０３間の隙間を埋めるように各部材５０１〜５０３の外径部（以下、「コバ部」という）から流し込むことで、各部材５０１〜５０３を接着する方法がある。また、たとえば、粘度の高い接着剤を用いて、各部材５０１〜５０３にそれぞれ塗布した接着剤によって各部材５０１〜５０３を接着する方法がある（たとえば、下記特許文献１，２を参照。）。
【０００５】
撮像用レンズ５００においては、各部材５０１〜５０３の光軸が一致するように、光軸に直交する面内における各部材５０１〜５０３の位置の調整（以下、「調心」という）をおこなった状態で、各部材５０１〜５０３を固定する。接着剤を用いて固定する対象となるレンズが、たとえば、デジタルスチルカメラ（以下、「ＤＳＣ」という）に搭載されるレンズのように、撮像用レンズ５００の外径寸法が数十ｍｍである場合、接着剤の塗布量や塗布位置を格別厳密に管理する必要はない。このため、調心後の各部材５０１〜５０３を固定した状態で接着剤を塗布し、各部材５０１〜５０３を固定することが可能である。
【０００６】
これに対し、たとえば、携帯型電話機に搭載されるレンズのように、撮像用レンズ５００の外径寸法が数ｍｍである場合、各部材５０１〜５０３を固定した状態で接着剤を塗布することが困難であることが多い。このため、小型の撮像用レンズ５００の製造に際しては、調心前の各部材５０１〜５０３に接着剤を塗布してから調心をおこなうようにした技術がある。
【０００７】
【特許文献１】特開２００４−３５４７０９号公報
【特許文献２】特開２００５−１８０２４号公報
【発明の開示】
【発明が解決しようとする課題】
【０００８】
上述した技術において粘度の低い接着剤を用いた場合、たとえば、Ｇ１レンズ５０１と固定絞り部材５０３との間の隙間において、当該隙間全体に亘って接着剤が回り込みやすくなる。粘度の低い接着剤を用いた場合には、接着剤をコバ部側から塗布した場合にも、固定絞り部材５０３における開口部５０４付近まで接着剤が回り込み易い。
【０００９】
しかしながら、Ｇ１レンズ５０１と固定絞り部材５０３との間の隙間全体に亘って接着剤が回り込んだ状態で調心作業をおこなうと、固定絞り部材５０３における開口部５０４まで回り込んでいた接着剤がＧ１レンズ５０１と固定絞り部材５０３との間からＧ１レンズ５０１におけるレンズ部分まではみ出し、はみ出した接着剤によって撮像用レンズ５００における光学性能が低下するという問題があった。
【００１０】
この対策として、コバ部側から塗布した接着剤が固定絞り部材５０３における開口部５０４まで回り込まないように接着剤の粘度を高くすることが考えられるが、たとえば、一般的に用いられる、３００００ｍＰａ・ｓ以上の粘度の高い接着剤は、十分な接着強度を得ることが困難であるという問題があった。
【００１１】
この発明は、上述した従来技術による問題点を解消するため、光軸方向において開口部よりも光軸側に流れ込んだ接着剤が光路に干渉することに起因する光学性能の低下を防止することができる光学装置、撮像装置、および電子機器を提供することを目的とする。
【課題を解決するための手段】
【００１２】
この発明にかかる光学装置は、光軸方向に配列された複数の光学部材を備える光学装置であって、前記複数の光学部材の中の任意の光学部材であって前記光軸方向に光を透過させる光透過部材と、前記光軸方向に貫通する開口部を備え、当該開口部を介して前記光透過部材を透過した光を前記光透過部材とは反対側へ通過させる遮光部材と、前記遮光部材に設けられて前記開口部の外周側において前記光透過部材に対向する間隙部材と、前記光軸に対して位置固定された部材と前記光透過部材とを接着する接着材料と、を備えることを特徴とする。
【００１３】
この発明によれば、光軸に対して位置固定された部材と光透過部材とを接着するための接着材料の存在位置に拘わらず、光透過部材と間隙部材との間では接着材料が開口部よりも外周側に存在するので、光軸に対する光透過部材の位置を固定しつつ、光軸方向において開口部よりも光軸側に接着材料が流れ込むことを防止することができる。
【００１４】
これによって光学装置は、光軸方向において開口部よりも光軸側に流れ込んだ接着材料が光路に干渉することに起因する光学性能の低下を防止することができる。そして、これによって光学装置の利用者は、光学性能が確保された信頼性の高い光学装置を利用することができる。
【００１５】
また、この発明にかかる光学装置における前記接着材料は、前記光透過部材と前記間隙部材との間に存在することを特徴とする。
【００１６】
接着材料が光透過部材と間隙部材との間に存在する場合、接着材料の粘度が低い場合など接着剤の性質によっては、接着材料が光透過部材と間隙部材との間から光軸側にはみ出してくることが想定される。
【００１７】
この発明によれば、接着材料が光透過部材と間隙部材との間に存在する場合にも光透過部材と間隙部材との間では接着材料が開口部よりも外周側に存在するので、光軸に対する光透過部材の位置を固定しつつ、光軸方向において開口部よりも光軸側に接着材料が流れ込むことを防止することができる。これによって光学装置は、光軸方向において開口部よりも光軸側に流れ込んだ接着材料が光路に干渉することに起因する光学性能の低下を防止することができる。そして、これによって光学装置の利用者は、光学性能が確保された信頼性の高い光学装置を利用することができる。
【００１８】
また、この発明にかかる光学装置における前記光透過部材は、前記光軸に直交する面内における位置の調整が可能な調心レンズであることを特徴とする。
【００１９】
この発明によれば、調心レンズの位置調整による調心レンズの位置に拘わらず、調心レンズと間隙部材とを接着する接着材料が開口部よりも外周側に存在するので、光軸に対する調心レンズの位置を固定しつつ、光軸方向において開口部よりも光軸側に接着材料が流れ込むことを防止することができる。これによって光学装置は、光軸方向において開口部よりも光軸側に流れ込んだ接着材料が光路に干渉することに起因する光学性能の低下を防止することができる。そして、これによって光学装置の利用者は、光学性能が確保された信頼性の高い光学装置を利用することができる。
【００２０】
また、この発明にかかる光学装置における前記間隙部材は、前記光軸方向に貫通する副開口部を備える環状部材であり、前記副開口部の寸法は、前記光透過部材において光学的に有効な領域の寸法よりも大きいことを特徴とする。
【００２１】
この発明によれば、構成を複雑化することなく光軸に対する光透過部材（調心レンズ）の位置を固定しつつ、光軸方向において開口部よりも光軸側に接着材料が流れ込むことを防止することができる。これによって光学装置は、簡易な構成によって光学性能の低下を防止することができる。そして、これによって光学装置の利用者は、光学性能が確保された信頼性の高い光学装置を利用することができる。
【００２２】
また、この発明にかかる光学装置における前記間隙部材が備える前記副開口部の寸法は、前記遮光部材が備える前記開口部の寸法よりも大きいことを特徴とする。
【００２３】
この発明によれば、遮光部材が通過させる光に影響を与えることなく光軸に対する光透過部材（調心レンズ）の位置を固定しつつ、光軸方向において開口部よりも光軸側に接着材料が流れ込むことを防止することができる。これによって光学装置は、簡易な構成によって光学性能の低下を防止することができる。そして、これによって光学装置の利用者は、光学性能が確保された信頼性の高い光学装置を利用することができる。
【００２４】
また、この発明にかかる撮像装置は、上述した光学装置と、前記光学装置を介して入射された光を電気信号に変換する撮像用の光電変換素子を含む撮像機構と、を備えることを特徴とする。
【００２５】
この発明によれば、光学性能が確保された光学装置を介して撮像することができる。これによって撮像装置は、品質の高い画像を撮像することができる。そして、これによって撮像装置の利用者は、品質の高い画像を得ることができる。
【００２６】
また、この発明にかかる電子機器は、上述した光学装置と、前記光学装置を介して入射された光を電気信号に変換する撮像用の光電変換素子を含む撮像機構と、入力操作を受け付ける操作部と、を備えることを特徴とする。
【００２７】
この発明によれば、たとえば、ＰＤＡ（Ｐｅｒｓｏｎａｌ  Ｄｉｇｉｔａｌ  Ａｓｓｉｓｔａｎｔｓ）や携帯型電話機のように、可搬性を備える電子機器に搭載するために光学装置を小型化した場合にも、光学装置における光学性能の低下を防止することができる。そして、これによって電子機器の利用者は、光学性能が確保された信頼性の高い電子機器を利用することができる。
【発明の効果】
【００２８】
本発明にかかる光学装置、撮像装置、および電子機器によれば、光軸方向において開口部よりも光軸側に流れ込んだ接着剤が光路に干渉することに起因する光学性能の低下を防止することができるという効果を奏する。
【発明を実施するための最良の形態】
【００２９】
以下に添付図面を参照して、この発明にかかる光学装置、撮像装置、および電子機器の好適な実施の形態を詳細に説明する。この実施の形態は、この発明にかかる光学装置を実現するレンズ装置への適用例を示す。
【００３０】
（実施の形態１）
図１は実施の形態１のレンズ装置を示す斜視図であり、図２は実施の形態１のレンズ装置を示す断面図である。図１，２に示したように、実施の形態１のレンズ装置１００は、複数のレンズ１０１，１０２，固定絞り部材１０３，およびワッシャ部材１０４を備えている。以下、実施の形態１においては、複数のレンズ１０１，１０２のうち、符号１０１で示したレンズをＧ１レンズ、符号１０２で示したレンズをＧ２レンズとして説明する。
【００３１】
Ｇ１レンズ１０１，Ｇ２レンズ１０２，固定絞り部材１０３，およびワッシャ部材１０４は、レンズ装置１００における光軸方向に沿って、Ｇ１レンズ１０１，ワッシャ部材１０４，固定絞り部材１０３，およびＧ２レンズ１０２の順で配置される。
【００３２】
Ｇ１レンズ１０１は、Ｇ２レンズ１０２から離反する方向へ突出するレンズ部１０５を備える凸型レンズである。Ｇ１レンズ１０１におけるレンズ部１０５は、図２中符号２０１で示した光軸を頂点としてＧ２レンズ１０２から離反する方向へ突出している。レンズ部１０５は、Ｇ１レンズ１０１において光学的に有効な領域に重複する位置に設けられている。
【００３３】
図２中符号２０２で示したように、Ｇ１レンズ１０１において、レンズ部１０５の外周部分に設けられた、Ｇ１レンズ１０１のＧ２レンズ１０２側の面（以下、「Ｇ１Ｒ２面」という）は、光軸２０１に直交する面に並行な平面とされている。Ｇ１レンズ１０１は、ワッシャ部材１０４に対してＧ１Ｒ２面２０２をスライドさせることで、光軸２０１に直交する面内における位置を調整することが可能である。実施の形態１においては、Ｇ１レンズ１０１によって調心レンズが実現されている。
【００３４】
Ｇ２レンズ１０２は、Ｇ１レンズ１０１側に突出するリブ１０６を備えている。リブ１０６は、光軸２０１を軸心とする同心円周上の３カ所に、それぞれ等間隔で設けられている。リブ１０６には、Ｇ１レンズ１０１，固定絞り部材１０３，およびワッシャ部材１０４を位置決めする棚部１０７が設けられている。実施の形態１においては、リブ１０６によって光軸に対して位置固定された部材が実現されている。
【００３５】
レンズ装置１００の製造に際しては、リブ１０６における棚部１０７に、固定絞り部材１０３，ワッシャ部材１０４、およびＧ１レンズ１０１を順次載置することで、Ｇ２レンズ１０２に対して、Ｇ１レンズ１０１，ワッシャ部材１０４，および固定絞り部材１０３を位置決めすることができる。Ｇ１レンズ１０１は、棚部１０７に載置された状態で、光軸２０１に直交する面に並行な平面内において変位可能に設けられている。
【００３６】
固定絞り部材１０３は、Ｇ１レンズ１０１に入射した光のうちレンズ部１０５に入射した光がＧ２レンズ１０２側へ通過するように、Ｇ２レンズ１０２へ入射する光量を制限する環状部材である。固定絞り部材１０３は、レンズ部１０５を縁取るように開口する開口部１０８を備えている。開口部１０８の開口径は、レンズ部１０５の外径と同等の寸法に設計されている。
【００３７】
固定絞り部材１０３の外周縁部には、Ｇ２レンズ１０２に対して固定絞り部材１０３を位置決めする位置決め部材１０９が設けられている。位置決め部材１０９は、固定絞り部材１０３の外周縁部から外周側へ突出する３対の突起であり、光軸２０１を軸心とする同心円周上において各リブ１０６をそれぞれ挟持することで、Ｇ２レンズ１０２に対して固定絞り部材１０３を位置決めする。
【００３８】
ワッシャ部材１０４は、Ｇ１レンズ１０１におけるレンズ部１０５を通過した光を固定絞り部材１０３側へ通過させるように開口する開口部１１０を備えている。開口部１１０の開口径の寸法は、レンズ部１０５の外径寸法よりも大きく設計されている。実施の形態１においては、ワッシャ部材１０４によって間隙部材が実現され、開口部１１０によって副開口部が実現されている。
【００３９】
より詳細に、開口部１１０の開口径の寸法は、棚部１０７に載置された状態においてＧ１レンズ１０１が開口部１１０の直径方向に変位可能な変位量が、開口部１１０の直径方向におけるレンズ部１０５の外径寸法と開口部１１０との差分よりも小さくなるように設計されている。
【００４０】
なお、図２中符号２０３は、Ｇ１レンズ１０１とワッシャ部材１０４とを接着する接着材料としての接着剤を示している。接着剤２０３は、塗布された際の粘度が、Ｇ１レンズ１０１とワッシャ部材１０４との間の隙間全体に亘って広がる程度の粘度となるように調整されている。Ｇ１レンズ１０１とワッシャ部材１０４とを接着した後の接着剤２０３の粘度はこの限りではない。
【００４１】
接着剤２０３としては、たとえば、紫外線が照射されることによって硬化するＵＶ硬化型樹脂を主体とする接着剤を使用することができる。また、接着剤２０３としては、たとえば、空気中の水分などと反応してＧ１レンズ１０１とワッシャ部材１０４とを接着するシアノアクリレート型の接着剤や、溶剤によってＧ１レンズ１０１およびワッシャ部材１０４の一部を溶解し、溶剤が揮発することによってＧ１レンズ１０１とワッシャ部材１０４とを接着する溶剤型の接着剤であってもよい。
【００４２】
このような構成において、レンズ装置１００の製造に際しては、まず、Ｇ２レンズ１０２における棚部１０７に、固定絞り部材１０３，ワッシャ部材１０４、およびＧ１レンズ１０１を順次載置する。これによって、Ｇ２レンズ１０２に対して、Ｇ１レンズ１０１，ワッシャ部材１０４，および固定絞り部材１０３が位置決めされる。このとき、固定絞り部材１０３は、Ｇ２レンズ１０２と固定絞り部材１０３との間に接着剤２０３を塗布した状態で棚部１０７に載置し、その状態で固定絞り部材１０３にＧ１レンズ１０１を載置する。
【００４３】
つづいて、リブ１０６における光軸２０１側の面とＧ１レンズ１０１のコバ部（外周部）との間に接着剤２０３を注入する。接着剤２０３の粘度は、毛管現象によって、Ｇ１レンズ１０１とワッシャ部材１０４との間，および固定絞り部材１０３とワッシャ部材１０４との間の隙間に回り込むことが可能な程度に低い粘度に設定されている。
【００４４】
つづいて、光軸２０１に直交する面に並行な平面内でＧ１レンズ１０１を変位させ、Ｇ１レンズ１０１の調心をおこなう。上述したように、レンズ装置１００においては、棚部１０７に載置された状態においてＧ１レンズ１０１が開口部１１０の直径方向に変位可能な変位量が、レンズ部１０５の外径寸法と開口部１１０との開口部１１０の直径方向における差分よりも小さくなるように設計されている。
【００４５】
このため、調心のためにＧ１レンズ１０１を変位させた場合にも、ワッシャ部材１０４とＧ１Ｒ２面２０２とが接触する接触部分における光軸２０１側の端部が、レンズ部１０５の外径部分よりも光軸２０１側に位置付けられることがないため、Ｇ１レンズ１０１とワッシャ部材１０４との間にある接着剤２０３がＧ１レンズ１０１と固定絞り部材１０３との間からはみ出した場合にも、はみ出した接着剤２０３によってレンズ装置１００における光学性能が低下することがない。
【００４６】
上述したように、実施の形態１のレンズ装置１００によれば、リブ１０６に対してＧ１レンズ１０１を接着するための接着剤２０３の存在位置に拘わらず、Ｇ１レンズ１０１とワッシャ部材１０４との間では接着剤２０３が開口部１０８よりも外周側に存在するので、光軸２０１に対するＧ１レンズ１０１の位置を固定しつつ、光軸方向において開口部よりも光軸側に接着剤２０３が流れ込むことを防止することができる。
【００４７】
また、実施の形態１のレンズ装置１００によれば、Ｇ１レンズ１０１の位置調整によるＧ１レンズ１０１の位置に拘わらず、Ｇ１レンズ１０１とワッシャ部材１０４とを接着する接着剤が開口部よりも外周側に存在するので、光軸２０１に対するＧ１レンズ１０１の位置を固定しつつ、光軸方向において開口部よりも光軸側に接着剤２０３が流れ込むことを防止することができる。
【００４８】
これによってレンズ装置１００は、光軸方向において開口部よりも光軸側に流れ込んだ接着剤が光路に干渉することに起因する光学性能の低下を防止することができる。そして、これによってレンズ装置１００の利用者は、光学性能が確保された信頼性の高いレンズ装置１００を利用することができる。
【００４９】
また、実施の形態１のレンズ装置１００によれば、固定絞り部材１０３が備える開口部１０８における開口径の寸法がＧ１レンズ１０１において光学的に有効な領域であるレンズ部１０５の外径よりも小さいので、品質の確保された光を確実にＧ１レンズ１０１とは反対側へ通過させることができる。
【００５０】
これによってレンズ装置１００は、レンズ装置１００における光学性能の向上を図ることができる。そして、これによってレンズ装置１００の利用者は、光学性能が確保された信頼性の高いレンズ装置１００を利用することができる。
【００５１】
また、実施の形態１のレンズ装置１００によれば、ワッシャ部材１０４における開口部１１０における開口径の寸法がＧ１レンズ１０１において光学的に有効な領域であるレンズ部１０５の外径よりも大きいので、レンズ装置１００の構成を複雑化することなく光軸２０１に対するＧ１レンズ１０１の位置を固定しつつ、光軸方向において開口部よりも光軸側に接着剤が流れ込むことを防止することができる。
【００５２】
これによってレンズ装置１００は、簡易な構成によって光学性能の低下を防止することができる。そして、これによってレンズ装置１００の利用者は、光学性能が確保された信頼性の高いレンズ装置１００を利用することができる。
【００５３】
なお、上述した実施の形態１では、固定絞り部材１０３とワッシャ部材１０４とが別体である場合について説明したが、これに限るものではない。固定絞り部材１０３に対して一体に形成されたワッシャ部材１０４とＧ１レンズ１０１とを接着剤２０３によって接着してもよい。
【００５４】
また、上述した実施の形態１では、遮光部材として固定絞り部材１０３を設けたが、遮光部材としてはこれにかぎるものではない。たとえば、レンズ装置１００内における光の反射などに起因して発生するゴースト対策として、レンズのコバ部分を隠すように設けられたマスクや遮光板などによって遮光部材を実現するようにしてもよい。
【００５５】
また、上述した実施の形態１では、光透過部材Ｇ１レンズ１０１を固定する場合について説明したが、接着剤２０３によって固定する対象はＧ１レンズ１０１に限るものではない。Ｇ１レンズ１０１以外に、たとえば、Ｇ２レンズ１０２，マスク，遮光板など、接着剤２０３の粘度と同程度に粘度の低い接着剤を用いて固定される部材であれば、光軸に対して固定的に設けられる部材であってもよい。この場合、Ｇ２レンズ１０２，マスク，遮光板などによって光透過部材が実現される。
【００５６】
また、上述した実施の形態１では、ワッシャ部材１０４における開口部１１０の寸法が、固定絞り部材１０３における開口部１０８の寸法よりも大きいので、固定絞り部材１０３が通過させる光に影響を与えることなく光軸に対するＧ１レンズ１０１の位置を固定しつつ、光軸方向において開口部１０８よりも光軸側に接着剤２０３が流れ込むことを防止することができる。
【００５７】
これによってレンズ装置１００は、簡易な構成によって光学性能の低下を防止することができる。そして、これによってレンズ装置１００の利用者は、光学性能が確保された信頼性の高いレンズ装置１００を利用することができる。
【００５８】
（実施の形態２）
図３−１は実施の形態２のデジタルカメラを示す正面図、図３−２は実施の形態２のデジタルカメラを示す背面図である。つぎに、図３−１，図３−２を用いて、この発明にかかる実施の形態２の撮像装置としてのデジタルカメラについて説明する。実施の形態２においては、上述した実施の形態１と同一部分は同一符号であらわし、説明を省略する。
【００５９】
図３−１に示したように、実施の形態２のデジタルカメラ３００のハウジング３０１における正面側には、レンズ装置３０２が設けられている。レンズ装置３０２は、上述した実施の形態１で説明したレンズ装置１００と同様の構成を備えており、Ｇ１レンズがＧ２レンズよりも正面側となるように設けられている。
【００６０】
レンズ装置３０２は、Ｇ１レンズを覆うシャッタ３０３を備えている。シャッタ３０３は、デジタルカメラ３００における電源のＯＮ／ＯＦＦに応じて開閉する。シャッタ３０３は、電源がＯＮの時にＧ１レンズを外部に開放する。図３中符号３０４は、撮影時に押されるレリーズボタンであり、符号３０５はフラッシュランプである。
【００６１】
図示を省略するが、ハウジング３０１内には、レンズ装置３０２を介して入射された光を電気信号に変換する撮像用の光電変換素子を含む撮像機構が設けられている。撮像用の光電変換素子として、具体的には、たとえば、ＣＣＤ（Ｃｈａｒｇｅ  Ｃｏｕｐｌｅｄ  Ｄｖｉｃｅ）を用いることができる。
【００６２】
図３−２に示したように、ハウジング３０１における背面側には、ディスプレイ３０６が設けられている。ディスプレイ３０６は、レンズ装置３０２を介して撮像用の光電変換素子に入射された光を電気信号に変換することによって得られた画像データに基づく画像を表示する。また、ハウジング３０１における背面側には、デジタルカメラ３００に対する利用者の入力操作を受け付ける操作キー３０７が設けられている。
【００６３】
上述したように、実施の形態２のデジタルカメラ３００よれば、光学性能が確保されたレンズ装置３０２を介して撮像することができる。これによってデジタルカメラ３００は、品質の高い画像を撮像することができる。そして、これによってデジタルカメラ３００の利用者は、品質の高い画像を得ることができる。
【００６４】
（実施の形態３）
図４−１は実施の形態３の携帯型電話機を示す正面図、図４−２は実施の形態３の携帯型電話機を示す背面図である。つぎに、図４−１，図４−２を用いて、この発明にかかる実施の形態３の電子機器としての携帯型電話機について説明する。実施の形態３においては、上述した実施の形態１，２と同一部分は同一符号であらわし、説明を省略する。
【００６５】
図４−１に示したように、実施の形態３の携帯型電話機４００のハウジング４０１における正面側には、メインディスプレイ４０２、および複数の操作ボタン４０３が設けられている。また、ハウジング４０１における正面側には、音声を出力するスピーカ４０４および、利用者の声など装置外部の音声を入力するマイク４０５が設けられている。
【００６６】
図４−２に示したように、実施の形態３の携帯型電話機４００のハウジング４０１における背面側には、サブディスプレイ４０６，レンズ装置４０７，撮像用フラッシュＬＥＤ４０８，およびアンテナ４０９などが設けられている。レンズ装置４０７は、上述した実施の形態１で説明したレンズ装置１００と同様の構成を備えており、Ｇ１レンズがＧ２レンズよりも正面側となるように設けられている。図示を省略するが、ハウジング４０１内には、レンズ装置４０７を介して入射された光を電気信号に変換する、ＣＣＤなどの撮像用の光電変換素子を含む撮像機構が設けられている。
【００６７】
上述したように、実施の形態３の携帯型電話機４００によれば、可搬性を付与するために小型化された携帯型電話機４００に搭載するためにレンズ装置４０７を小型化した場合にも、レンズ装置４０７における光学性能の低下を防止することができる。そして、これによって携帯型電話機４００の利用者は、光学性能が確保された信頼性の高い携帯型電話機４００を利用することができる。
【００６８】
以上説明したように、実施の形態のレンズ装置１００、デジタルカメラ３００、および携帯型電話機４００によれば光軸方向において開口部よりも光軸側に流れ込んだ接着剤が光路に干渉することに起因する光学性能の低下を防止し、良好な光学性能を確保することができる。
【産業上の利用可能性】
【００６９】
以上のように、本発明にかかる光学装置、撮像装置、および電子機器は、接着剤を用いて固定されるレンズを備える光学装置に有用であり、特に、カメラ付き携帯型電話機のように撮像機構を備える電子機器に適している。
【図面の簡単な説明】
【００７０】
【図１】実施の形態１のレンズ装置を示す斜視図である。
【図２】実施の形態１のレンズ装置を示す断面図である。
【図３−１】実施の形態２のデジタルカメラを示す正面図である。
【図３−２】実施の形態２のデジタルカメラを示す背面図である。
【図４−１】実施の形態３の携帯型電話機を示す正面図である。
【図４−２】実施の形態３の携帯型電話機を示す背面図である。
【図５】従来の撮像用レンズの一例を示す断面図である。
【符号の説明】
【００７１】
１００  レンズ装置
１０１  Ｇ１レンズ
１０２  Ｇ２レンズ
１０３  固定絞り部材
１０４  ワッシャ部材
１０８  開口部
２０１  光軸
２０３  接着剤
３００  デジタルカメラ
４００  携帯型電話機
【図１】
2008052194.tif 000003
【図２】
2008052194.tif 000004
【図３−１】
2008052194.tif 000005
【図３−２】
2008052194.tif 000006
【図４−１】
2008052194.tif 000007
【図４−２】
2008052194.tif 000008
【図５】
2008052194.tif 000009